(57)【要約】【課題】部品点数および組み立て工数が少なく、しかも、正確に高トルクを設定することが可能な回転操作つまみのトルク可変機構を提供する。【解決手段】回転操作部品２が取付けられるパネル１に前記回転操作部品の回転軸２ａ回りの円周方向に延びる片持ち梁１ｄを形成し、パネル１にトルク可変レバー３を回動自在に支持させ、トルク可変レバー３を回動させることにより、片持ち梁１ｄが回転軸２ａに取付けられたつまみに固着された摩擦シート６に圧接される位置と圧接が解除される位置との間を変位させることを可能に構成した。【選択図】        図１
2005018188.tif 000002
【特許請求の範囲】
【請求項１】
回転操作部品が取付けられるパネルに前記回転操作部品の回転軸回りの円周方向に延びる片持ち梁を形成し、前記パネルにトルク可変レバーを回動自在に支持させ、前記トルク可変レバーを回動させることにより、前記片持ち梁が前記回転軸に取付けられたつまみまたはつまみに固着された摩擦シートに圧接される位置と圧接が解除される位置との間を変位させることを可能に構成した回転操作つまみのトルク可変機構。
【請求項２】
前記片持ち梁の先端に前記つまみまたはつまみに固着された摩擦シートに直接または摩擦部材を介して圧接される突起を設けた請求項１の回転操作つまみのトルク可変機構。
【請求項３】
前記片持ち梁の前記つまみと反対の側に前記片持ち梁を前記つまみ方向に付勢する付勢部材を配置した請求項１または２の回転操作つまみのトルク可変機構。
【発明の詳細な説明】
【０００１】
【発明の属する技術分野】
この発明は回転操作つまみのトルク可変機構に係わり、特に、回転操作つまみのトルクが安定し、構造が簡単なトルク可変機構に関する。
【０００２】
【従来の技術】
従来、無線機等の同調周波数等を選定するため、回転操作部品を回転操作するつまみは同調周波数等を微調整しやすくまた停止状態に保てるように大きい操作トルクとするときと周波数を大きく変えるときに小さい操作トルクとするするときとで、操作トルクを可変するトルク可変機構が用いられていた。
【０００３】
そのような従来のトルク可変機構の例を図４および図５により説明する。図に示すエンコーダ２の軸受け２ｂは回転軸２ａを回転自在に支持している。この軸受け２ｂをパネル１０の円筒形状部１０ｂを挿通させてナット４を軸受け２ｂの外周に設けられたねじと螺合させてエンコーダ２をパネル１に締着する。
【０００４】
このとき弾性板レバー１１の穴１１ｃに円筒形状部１０ｂが挿通され弾性板レバーの穴１１ｃの近傍はパネル１０の矩形凹部１０ｃの内部でパネル１０に回動自在に支持される。
【０００５】
弾性板レバー１１のアーム１１ａ、１１ａおよび操作舌片１１ｂは矩形凹部１０ｃの外部まで延びており、アーム１１ａ、１１ａの先端には繊維シート１２、１２が貼着されている。つまみ５はエンコーダ２の回転軸２ａの先端に取り付けられ、つまみ５の一部はパネル１０の円形凹部１０ａに入り込んだ状態となっている。
【０００６】
弾性レバー１１を操作舌片１１ｂにより回動させると、アーム１１ａ、１１ａが矩形凹部１０ｃの長片に接触させ、または矩形凹部１０ｃの短片に接触させることができる。
【０００７】
図５（ａ）は弾性板レバー１１のアーム１１ａ、１１ａを矩形凹部１０ｃの長片に接触させた状態であり、アーム１１ａ、１１ａは高く押し上げられアーム１１ａ、１１ａの先端の繊維シート１２、１２がつまみ６に圧接される。この状態ではつまみ６に繊維シート１２、１２の摩擦力が作用し、つまみ６を回転させるためのトルクは大きくなる。
【０００８】
図５（ｂ）は弾性板レバー１１のアーム１１ａ、１１ａを矩形凹部１０ｃの短片に接触させた状態であり、アーム１１ａ、１１ａは弾力で下がりアーム１１ａ、１１ａの先端の繊維シート１２、１２がつまみ６から離れる。この状態ではつまみ６に繊維シート１２、１２の摩擦力が作用せず、つまみ６を回転させるためのトルクは小さくなる。
【０００９】
上記従来のトルク可変機構は弾性板レバー１１の回動角度によりアーム１１ａ、１１ａを曲げる角度を変えて回転トルクを設定していたが、弾性板レバー１１の回動角度のばらつきや弾性板レバー１１の板厚のばらつきにより設定トルクがばらつくという問題があった。
【００１０】
また、つまみを勢いよく回すと弾性板レバー１１もつまみに追従して回ってしまうことがあった。また、弾性板レバー１１がつまみとの摩擦力により回りやすくなるような高いトルクの設定はできなかった。
【００１１】
特公昭６３−４１０８６号公報に開示されたトルク可変装置は、第１図および第２図に示すダイアル軸３にピン止めされた摩擦板１３とワッシヤ１４を介して圧接される鍔付円筒４との圧接力により高トルクが設定される。調整レバー７の凹部が鋼球２から外れる位置に調整レバー７を回動させると、調整レバー７は鋼球２が基台１の面から突出する距離だけ基台１から離れ摩擦板１３にかかる圧接力が解除されダイアル軸１３が低トルクで回転するようになる。
【００１２】
この構成によると、ダイアル軸１３を勢いよく回しても設定された高トルクが変わることはないが、高トルクを設定するためにダブルナット８、９の締め付け位置により鍔付円筒４の位置を調整しなければならず、トルクの設定が極めて面倒であるばかりでなく、部品点数が多く、部品コストおよび組み立て工数が大きくなるという欠点があった。
【００１３】
【特許文献１】
特公昭６３−４１０８６号公報（第２頁、第１図、第２図）
【００１４】
【発明が解決しようとする課題】
この発明は上記した点に鑑みてなされたものであって、その目的とするところは、部品点数および組み立て工数が少なく、しかも、正確に高トルクを設定することが可能な回転操作つまみのトルク可変機構を提供することにある。
【００１５】
【課題を解決するための手段】
この発明の回転操作つまみのトルク可変機構は、回転操作部品が取付けられるパネルに前記回転操作部品の回転軸回りの円周方向に延びる片持ち梁を形成し、前記パネルにトルク可変レバーを回動自在に支持させ、前記トルク可変レバーを回動させることにより、前記片持ち梁が前記回転軸に取付けられたつまみまたはつまみに固着された摩擦シートに圧接される位置と圧接が解除される位置との間を変位させることを可能に構成したものである。
【００１６】
また、前記回転操作つまみのトルク可変機構において、前記片持ち梁の先端に前記つまみまたはつまみに固着された摩擦シートに直接または摩擦部材を介して圧接される突起を設けたものである。
【００１７】
また、前記各回転操作つまみのトルク可変機構において、前記片持ち梁の前記つまみと反対の側に前記片持ち梁を前記つまみ方向に付勢する付勢部材を配置したものである。
【００１８】
【発明の実施の形態】
この発明の実施例である回転操作つまみのトルク可変機構を図面に基づいて説明する。図１はこの発明の実施例である回転操作つまみのトルク可変機構を示す分解斜視図、図２は同回転操作つまみのトルク可変機構の一部を円周方向に延びる断面で示す側面図である。
【００１９】
図１および図２に示すエンコーダ２の軸受け２ｂは回転軸２ａを回転自在に支持している。この軸受け２ｂをパネル１に設けられた穴１ｆを挿通させてナット４を軸受け２ｂの外周に設けられたねじと螺合させてエンコーダ２をパネル１に締着する。なお、回転軸２ａの先端には繊維シート６を貼着したつまみ５が取付けられる。
【００２０】
パネル１には穴１ｆと同軸の凹部１ａが形成されており、凹部１ａの底面から円筒形状部１ｂが立設されている。また、凹部１ａの底面には円筒形状部１ｂに対して円周方向に延びる片持ち梁１ｄが形成されている。そして、片持ち梁１ｄの先端に突起１ｅが形成されている。
【００２１】
円筒形状部１ｂの先端には３個の凸部１ｃ、１ｃ…が形成されており、トルク可変レバー３の３個の凹部３ａ、３ａ…をこれに合わせてトルク可変レバー３を円筒形状部１ｂの外周部に嵌め込みパネル１にトルク可変レバー３を回動自在に支持させる。トルク可変レバー３を操作舌片３ｃによりトルク可変レバー３の凸部３ｂが片持ち梁１ｄを抑える位置と片持ち梁１ｄの抑えを解除する位置との回動させることができる。
【００２２】
パネル１の背後に配置される基板７にはゴム材からなる付勢部材８が固着されており、付勢部材８に設けられた突起８ａは片持ち梁１ｄの突起１ｅの背後を押し、片持ち梁１ｄは通常突起１ｅがつまみ５に貼着された繊維シート６に圧接されるように付勢されている。
【００２３】
図２（ａ）および図３（ａ）はトルク可変レバー３を片持ち梁１ｄの抑えを解除する位置に回動させた状態を示しており、このとき片持ち梁１ｄの突起１ｅはつまみ５に貼着された繊維シート６に付勢部材８の弾力により圧接されつまみ５に高い操作トルクが設定される。
【００２４】
図２（ｂ）および図３（ｂ）はトルク可変レバー３を片持ち梁１ｄを抑る位置に回動させた状態を示しており、このとき片持ち梁１ｄがトルク可変レバー３の凸部３ｂが片持ち梁１ｄを抑え、突起１ｅはつまみ５に貼着された繊維シート６から離れる。従って、つまみ５を軽く回すことができる。
【００２５】
この構成によると、トルク可変レバー３はつまみ５に圧接されていないのでつまみ５を勢いよく回してもトルク可変レバー３がつまみ５に追従して回転することはない。なお、片持ち梁１ｄを自然状態でつまみ５の繊維シート６に圧接する形状とすることにより付勢部材８を省くことも可能である。
【００２６】
このように、つまみの設定トルクは成形により精度よく作られるパネル１や付勢部材８の寸法により決まるため精度よく設定することができる。また、部品点数が少なく組立て時にトルクの設定のための調整が不要であり、製造コストが安くなる。
【００２７】
実施例は以上のように構成されているが発明はこれに限られず、例えば、片持ち梁１ｄの突起１ｅが直接につまみに圧接される構成とすることもでき、突起１ｅに摩擦部材を貼着してもよい。
【００２８】
【発明の効果】
この発明の回転操作つまみのトルク可変機構によれば、トルクを設定する片持ち梁が形成するパネルや付勢部材を精度の高い金型で作ることができ、寸法精度を高くすることができるので、高精度にトルクを設定することができる。
【００２９】
また、トルク可変レバーはつまみに圧接されていないのでつまみを勢いよく回してもトルク可変レバーがつまみに追従して回転することがなく、摩擦による高いトルクを設定することができる。さらに、部品点数が少なく、組立ても簡単である。
【図面の簡単な説明】
【図１】この発明の実施例である回転操作つまみのトルク可変機構を示す分解斜視図である。
【図２】同回転操作つまみのトルク可変機構の一部を円周方向に延びる断面で示す側面図である。
【図３】同回転操作つまみのトルク可変機構の一部を示す正面図である。
【図４】従来の回転操作つまみのトルク可変機構の例を示す分解斜視図である。
【図５】同回転操作つまみのトルク可変機構を一部断面として示す側面図である。
【符号の説明】
１  パネル、１ａ  凹部、１ｂ  円筒形状部、１ｃ  凸部、１ｄ  片持ち梁
１ｅ  突起、１ｆ  穴
２  エンコーダ、２ａ  回転軸、２ｂ  軸受け
３  トルク可変レバー、３ａ  凹部、３ｂ  凸部、３ｃ  操作舌片
４  ナット
５  つまみ
６  繊維シート
７  基板
８  付勢部材、８ａ  突起
１０  パネル、１０ａ  円形凹部、１０ｂ  円筒形状部、１０ｃ  矩形凹部
１１  弾性板レバー、１１ａ  アーム、１１ｂ  操作舌片、１１ｃ  穴
１２  繊維シート
【図１】
2005018188.tif 000003
【図２】
2005018188.tif 000004
【図３】
2005018188.tif 000005
【図４】
2005018188.tif 000006
【図５】
2005018188.tif 000007